(57)【要約】【課題】携帯電話等の携帯型移動通信端末を用いたコミュニケーションに関し、特定の公共空間を共有する他者との摩擦をなくし、公共空間においてより円滑で使用者の利便性が高いコミュニケーションシステムを提供する。【解決手段】公共空間における携帯型移動通信端末を利用したコミュニケーションシステムにおいて、公共空間に設置された携帯型移動通信端末へのコミュニケーションデータ発信手段と、携帯型移動通信端末内部の前記コミュニケーションデータ受信手段とを有する。【選択図】　　　　　図４
2004104348.tif 000002
【特許請求の範囲】
【請求項１】
公共空間に設置された携帯型移動通信端末へのコミュニケーションデータ発信手段と、携帯型移動通信端末内部の前記コミュニケーションデータ受信手段とを有する事を特徴とする、公共空間における携帯型移動通信端末を利用したコミュニケーションシステム。
【請求項２】
前記コミュニケーションデータ発信手段が、公共空間での携帯型移動通信端末の利用属性を告知する告知媒体を含む装置であることを特徴とする、請求項１記載のコミュニケーションシステム。
【請求項３】
前記コミュニケーションデータ発信手段が、コミュニケーションデータ発信サーバと一体となったシステムであることを特徴とする、請求項１又は２記載のコミュニケーションシステム。
【請求項４】
前記コミュニケーションデータ発信サーバが、公衆電話と一体となったサーバであることを特徴とする、請求項３記載のコミュニケーションシステム。
【請求項５】
前記コミュニケーションデータが、携帯型移動通信端末を制御する信号と告知情報とで構成されることを特徴とする、請求項１−４のいずれか１つの請求項に記載のコミュニケーションシステム。
【請求項６】
前記コミュニケーションデータが、ネットワークを介して当該公共空間の管理者により、任意に設定することができることを特徴とする、請求項１−５のいずれか１つの請求項に記載のコミュニケーションシステム。
【請求項７】
前記携帯型移動通信端末内部の前記コミュニケーションデータ受信手段が、前記コミュニケーションデータを受信したことにより、前記携帯型移動通信端末のＩＤデータを含むデータが発信され、前記ＩＤデータを含むデータが受信されるＩＤデータ受信手段を有することを特徴とする、請求項１−６のいずれか１つの請求項に記載のコミュニケーションシステム。
【請求項８】
少なくとも前記ＩＤデータを含むデータと、前記当該公共空間の管理者が設定した任意のデータの内の、当該携帯型移動通信端末への送信者への応答部分を、当該携帯型移動通信端末の通信キャリアに送信することにより、前記送信者に前記応答部分のデータを送信する応答メッセージ送信手段を有することを特徴とする、請求項１−７のいずれか１つの請求項に記載のコミュニケーションシステム。
【請求項９】
前記コミュニケーションデータ受信手段が、携帯型移動通信端末使用者の任意の手動操作により、稼動し待ち受け状態になることを特徴とする、請求項１−８のいずれか１つの請求項に記載のコミュニケーションシステム。
【請求項１０】
前記コミュニケーションデータの送受信が、基地局への周波数と異なった周波数でなされることを特徴とする、請求項１−９のいずれか１つの請求項に記載のコミュニケーションシステム。
【請求項１１】
請求項１−１０のいずれか１つの請求項に記載のコミュニケーションシステムを稼動させるためのコンピュータプロブラムであって、公共空間に設置された携帯型移動通信端末へのコミュニケーションデータ発信ステップと、携帯型移動通信端末内部の前記コミュニケーションデータ受信ステップとを有する事を特徴とする、コンピュータプログラム。
【発明の詳細な説明】
【０００１】
【発明の属する技術分野】
本発明は、公共空間における携帯型移動通信端末を利用したコミュニケーションシステムに関する。
【０００２】
【従来の技術】
公共空間における携帯電話等の携帯型移動通信端末を利用したコミュニケーションに関し、マナーの側面に留意した技術として、マナーモード、妨害波等を用いた電波遮断、特定の場所に設置された無線発信装置から、基地局からの受信レベルより強い制御信号を発し電源及びマナーモードのオンオフを制御する方法、携帯型移動通信端末のスケジュール機能を利用した医療機関屋内等における無線部分の制御等の事例がある。又公共空間において携帯型移動通信端末の移動性に留意した、使用者利便性向上の側面からのコミュニケーション技術として、プッシュ型、スポットサービス等として表される携帯型移動通信端末の特定の位置に依存した情報提供の事例がある。
しかしながら多様な公共空間でのコミュニケーションを前提とし、空間を共有する他者との関係を損ねることなく、携帯型移動通信端末利用者の利便性を高めることを意図とした、公共空間ならではのコミュニケーションシステムはない。
【０００３】
【発明が解決しようとする課題】
本発明の課題は、携帯電話等の携帯型移動通信端末を用いたコミュニケーションに関し、電話という本来個々の人間を結ぶ私的コミュニケーション媒体が、第三者が共存する公共空間で使用されることの必然的帰結として顕在化する他者との摩擦をなくし、公共空間においてより円滑で使用者の利便性が高いコミュニケーションシステムを提供することにある。
尚、本発明でいう公共空間とは、医療機関、学校、図書館、美術館、博物館、劇場、コンサートホール、映画館、電車、バス、旅客機、会議室、宴会場、斎場、レストラン、喫茶店、ホテルのロビー、商店街、街路、公園等第三者と共有する全ての空間を意図する。
【０００４】
【課題を解決するための手段】
上記課題を解決するため、本発明の一つは、公共空間における携帯型移動通信端末を利用したコミュニケーションシステムであって、公共空間に設置された携帯型移動通信端末へのコミュニケーションデータ発信手段と、携帯型移動通信端末内部の前記コミュニケーションデータ受信手段とを有する事を特徴とする。
前記発信手段は少なくとも、前記受信手段に対して、前記コミュニケーションデータを発信又は中継する機能を有するコミュニケーションデータ発信装置を含む。前記コミュニケーションデータを前記コミュニケーションデータ発信装置に保持する形態は、固定的に保持されてよく、外部入力よって書き換え可能な可変的形態であってよく、又前記コミュニケーションデータ発信装置が中継もしくは増幅のみの機能をはたす場合、保持という形態をとらなくともよい。前記発信手段と前記受信手段との通信手段は、電波であってよく、光波であってもよい。前記通信手段の周波数は、特定の携帯型移動通信端末が、その通信キャリアの基地局と交信する周波数であってよく、他の周波数であってよいが、好適な実施においては、基地局と交信する周波数とは異なる微弱無線が利用できる。
前記通信キャリアとは、前記した特定の携帯型移動通信端末の所有者が、通信のために契約した電気通信事業者を意図する。前記通信手段には、少なくとも、ブルートゥース、無線ＬＡＮ、ＰＨＳ、デジタルコードレス電話、ＥＴＣ、ワイヤレスカード、小電力データ通信システム、小電力セキュリティシステム、特定小電力無線局、ソフトウェア無線の技術が利用できる。
【０００５】
又本発明の一つは、前記コミュニケーションデータ発信手段が、公共空間での携帯型移動通信端末の利用属性を告知する告知媒体を含む装置であることを特徴とする。
図１は前記告知媒体１の設置イメージである。ただし図は、必ずしも図示したように、前記告知媒体１が、前記コミュニケーションデータ発信装置２と一体であることを意図するものでなく、前記告知媒体１と前記コミュニケーションデータ発信装置２は別々に設置されてよい。又前記告知媒体１は、たとえば、文字、イラスト、静止画、動画等で構成された平面又は立体の視覚的訴求物であってよく、聴覚的訴求物であってよく、視覚的かつ聴覚的訴求物であってよく、マットであってよく、シールであってよく、ポスターであってよく、モニターであってよく、スピーカーであってよい。
【０００６】
又本発明の一つは、前記コミュニケーションデータ発信手段が、コミュニケーションデータ発信サーバと一体となったシステムであることを特徴とする。
前記コミュニケーションデータ発信サーバとは、前記コミュニケーションデータ発信装置に対し、前記コミュニケーションデータを送信する装置であって、この時前記コミュニケーションデータ発信装置は、中継機であってよく、次のコミュニケーションデータが前記コミュニケーションデータ発信サーバから発信されるまでの間、現状のコミュニケーションデータを発信し続ける発信機であってよく、又前記コミュニケーションデータ発信サーバと無線若しくは有線で接続されてよく、又前記コミュニケーションデータ発信サーバと構造的に一体となった装置であってよい。
【０００７】
又本発明の一つは、前記コミュニケーションデータ発信サーバが、公衆電話と一体となったサーバであることを特徴とする。
【０００８】
又本発明の一つは、前記コミュニケーションデータが、携帯型移動通信端末を制御する信号と告知情報とで構成されることを特徴とする。
前記携帯型移動通信端末を制御する信号とは、音声送受信機能のオフ、マナーモードのオン、メール送信のオフ、メール受信のオフ、ブラウザのオフ、スポットサービスのオフ、あるいは、コミュニケーションデータ受送信以外の全ての機能のオフ等を指示するデータであって、好適には、前記告知媒体の告知内容である当該公共空間での携帯型移動通信端末の利用属性と同意図の制御データである。告知情報とは、前記携帯型移動通信端末を制御する信号によって行われた携帯型移動通信端末のモード設定を携帯型移動通信端末使用者に告知する情報と、場合によって当該公共空間の管理者から提供される情報を含む情報である。
【０００９】
又本発明の一つは、前記コミュニケーションデータが、ネットワークを介して当該公共空間の管理者により、任意に設定することができることを特徴とする。
【００１０】
又本発明の一つは、前記携帯型移動通信端末内部の前記コミュニケーションデータ受信手段が、前記コミュニケーションデータを受信したことにより、前記携帯型移動通信端末のＩＤデータを含むデータが発信され、前記ＩＤデータを含むデータが受信されるＩＤデータ受信手段を有することを特徴とする。
前記ＩＤデータ受信手段により、本システムは、当該公共空間内の携帯型移動通信端末を把握することができる。
【００１１】
又本発明の一つは、少なくとも前記ＩＤデータを含むデータと、前記当該公共空間の管理者が設定した任意のデータの内の、当該携帯型移動通信端末への送信者への応答部分を、当該携帯型移動通信端末の通信キャリアに送信することにより、前記送信者に前記応答部分のデータを送信する応答メッセージ送信手段を有することを特徴とする。
【００１２】
又本発明の一つは、前記コミュニケーションデータ受信手段が、携帯型移動通信端末使用者の任意の手動操作により、稼動し待ち受け状態になることを特徴とする。
上述の前記コミュニケーションデータ受信手段が携帯型移動通信端末使用者の任意の手動操作により稼動し待ち受け状態になるとは、公共空間に設置されたコミュニケーションデータ発信手段からの発信データを受信することができる状態になること意図する。
【００１３】
又本発明の一つは、前記コミュニケーションデータの送受信が、基地局への周波数と異なった周波数でなされることを特徴とする。
【００１４】
又本発明の一つは、前記コミュニケーションシステムを稼動させるためのコンピュータプロブラムであって、公共空間に設置された携帯型移動通信端末へのコミュニケーションデータ発信ステップと、携帯型移動通信端末内部の前記コミュニケーションデータ受信ステップとを有する事を特徴とする。
【００１５】
【発明の実施の形態】
図２に本発明の一実施形態を概念図として例示し、図３にコミュニケーションデータを中心としたデータのフローチャートの一例を例示する。
携帯型移動通信端末使用者は、外出時、携帯型移動通信端末３をパブリックモードに設定する（ｓ１）。パブリックモードとは、公共空間に設置されたコミュニケーションデータ発信手段からの発信データを受信することができる状態を意図する。
パブリックモードに設定された携帯型移動通信端末が、コミュニケーションデータ発信手段から発信されたコミュニケーションデータを受けると、携帯型移動通信端末はコミュニケーションデータによって制御され（ｓ５）、例示した公共空間の管理者の入力端末７によって設定された情報配信が行われる。
【００１６】
本例のコミュニケーションデータ発信手段は、公共空間での携帯型移動通信端末の利用属性を告知する告知媒体１と一体化したデータ中継装置２、公衆電話と一体化されたコミュニケーションデータ発信サーバ４、ネットワーク５、コミュニケーションデータコントロールサーバ６、特定の公共空間の管理者がコミュニケーションデータの内容を入力する入力端末７、通信キャリアが管理するキャリアサーバ８で構成される。
本例のコミュニケーションデータは、例示した公共空間の管理者が入力端末７によって入力（ｓ２）したデータであって、音声送受信機能のオフ、マナーモードのオン、メール送信のオフ、メール受信のオフ、ブラウザのオフ、スポットサービスのオフ、あるいは、コミュニケーションデータ受送信以外の全ての機能のオフ等の携帯型移動通信端末の制御データと、この公共空間に関する配信情報等を含むデータである。
又本例のネットワークは、インターネット、ＬＡＮ、公衆電話回線網、公衆回線網、移動通信回線網等を意図する。
【００１７】
入力端末７によって入力（ｓ２）されたコミュニケーションデータは、コミュニケーションデータコントロールサーバ６からネットワーク５を介して、公衆電話と一体化されたコミュニケーションデータ発信サーバ４へと送信される（ｓ４）。コミュニケーションデータコントロールサーバ６は、コミュニケーションデータの内容が時間経過によって異なっていたり、通信キャリアから送られた特定の携帯型移動通信端末のためのデータを受信した場合に、それらをコミュニケーションデータ発信サーバ４に送られる前段階で処理し、コミュニケーションデータ発信サーバ４の負荷を軽減するサーバである。
好適に実施された場合、コミュニケーションデータ発信装置２は、当該公共空間の入退場動線の全てに設置され、入場する携帯型移動通信端末のＩＤデータを入場時に入手、把握し、携帯型移動通信端末の制御データに、音声送受信機能のオフ、メール送受信のオフが含まれる場合には、個別の通信キャリアに通知する（ｓ６）。通知を受けた通信キャリアは、当該携帯型移動通信端末が当該公共空間の中にいる間、又は当該公共空間の管理者或いは当該キャリアが定めた一定の間、当該携帯型移動通信端末への送信者に関する情報と、送信者からの情報をコミュニケーションデータコントロールサーバ６に送信する（ｓ７）。上述の当該携帯型移動通信端末への送信者に関する情報と送信者からの情報は、当該公共空間からの退場時に、当該携帯型移動通信端末の設定を入場前の状態に戻す制御信号と共に、当該携帯型移動通信端末へ送信され（ｓ８）、表示される。又当該キャリアに対しては、当該携帯型移動通信端末が当該公共空間を退場したことを通知する（ｓ１０）。
【００１８】
【実施例】
実施例１
図４は医療機関、学校等に設置された本システムの例示である。
本例のコミュニケーションデータ発信手段は、公共空間での携帯型移動通信端末の利用属性を告知する告知媒体１と一体となったデータ発信装置２のみで構成される。本例のデータ発信装置２は、予め携帯型移動通信端末３への発信データが設置時までに入力されている。携帯型移動通信端末３の基地局とは異なった周波数帯で発信された、微弱無線電波によるデータ発信装置２のデータを受け、入場の際に携帯型移動通信端末３の基地局への電波の送受信機能がオフになり、退場の際に送受信機能がオンになる。
ある特定の携帯型移動通信端末３が入場するのか、又は退場するのかの判定には、ドップラー効果や、データ発信装置２の前後に物体の通過を知らせるセンサーを配置したり、データ発信装置２の手前に携帯型移動通信端末３が通過したことをコミュニケーションデータ発信手段に通知する、通過信号発信装置をデータ発信装置２の前後に配置し、入退場する携帯型移動通信端末のＩＤデータを仮登録し、データ発信装置２の発信する前記のＩＤデータの送信によって入退場を確定したり、あるいは感圧式又は静電式等のセンサーを告知媒体１に組み込み、最初の着地点をかかとの着地とみなし、最初の着地点からつま先と考えられる次の着地点までのベクトルを進行方向とみなす技術や、入退場者を撮影し画像を解析する技術等が利用できる。
【００１９】
実施例２
図２を参照して映画館、劇場等の客室への入退場動線上に設置された、データ発信装置２と公衆電話４で構成された、コミュニケーションデータ発信手段を説明する。本例では、公衆電話４がインターネット５を介してコミュニケーションデータサーバ６、更には入力端末７へと接続されている例を説明する。
図５は劇場管理者の端末画面の例示である。本例の劇場管理者は、携帯型移動通信端末３へのコミュニケーションデータを任意に設定できる。
発信データの入力画面（図５）は、待合室用と客室用のページがあり、劇場管理者は、客室用のコミュニケーションデータを入力している。「入退場時の端末設定」の設定は、「音声送受信機能オフ」、「メール送信オフ」、「ブラウザオフ」、「スポットサービスオフ」である。これにより客室入場時の入場者の携帯型移動通信端末３が設定される。
「メッセージ」の設定の内「入場時のメッセージ」とは、客室入場時の入場者の携帯型移動通信端末３に表示されるメッセージであり、本例の劇場管理者は（）内のメッセージも又任意に設定することができる。又本例の「電話送信者へのメッセージ」には「ただ今マナーエリアにいらっしゃいます。音声を文字にてお届け致しますので、メッセージをどうぞ」と入力されているが（図６参照）、マナーエリアの部分に劇場名を入れて送信者に通知することも可能である。退場時においても同様に劇場管理者が任意に設定した「退場時のメッセージ」が客室退場者の携帯型移動通信端末３に表示され、さらに個別の携帯型移動通信端末３の通信キャリアから受信したデータを使用して、客室にいた間に通信キャリアが受信していた「送信者履歴」と送信者からの音声メッセージが文字変換された「送信者文字変換メッセージ」を表示する。
本例の「上映プログラムの説明」とは、ファイルと時間とを指定することにより、客室内の携帯型移動通信端末３に送られるデータであり、このテキストや動画によって上映プログラムを解説するデータである。「他言語通訳」とは、指定することにより音声ないし文字による通訳が受けられるサービスであって、本例では「日本語」と「北京語」を指定している。又本例の公衆電話４付近では、ＩｒＤＡ或いはＰＨＳ等の技術により、複数の携帯型移動通信端末３によって、公衆回線網を利用した通信が可能である。
【００２０】
実施例３
図７は電車車両内に設置された本システムの例示である。
本例では携帯型移動通信端末３の設定が車両ごとに決められている。Ａ車両１０では携帯型移動通信端末３の音声送受信、メール送受信、ブラウザ、スポットサービスの各機能がオフになる。Ｂ車両１１ではメール送受信のみが使え、Ｃ車両１２では本システムによる情報配信が行われる。又パブリックモード内の任意設定によって、コミュニケーションデータ発信サーバ４又はコミュニケーションデータコントロールサーバ６が、通信キャリアが管理するキャリアサーバ８に位置を知らせることにより、家族等特定の送信者に現在の位置を知らせることができる。
【００２１】
実施例４
図８は商店街に設置された本システムの例示である。パブリックモードに設定されている携帯型移動通信端末３が、本システムの情報配信エリアに入ると、複数の商店主等からコミュニケーションデータコントロールサーバ６に集められ、自動的に編集された各商店の特だし商品等の情報が配信される。
【００２２】
実施例５
図９は会議室に設置された本システムの例示である。本例のデータ発信装置２は、脱着可能であり、設定変更データの送信等の手段で設定変更が可能である。又本例では、本システムの情報配信機能を用い、発言者のスピーチを同時通訳し、他の出席者に配信する。
【００２３】
【発明の効果】
以上説明したように本発明によれば、公共空間管理者に携帯型移動通信端末の制御をゆだねることで他者との摩擦をなくすとともに、使用者の利便性が高い情報を提供し、公共空間において円滑で使用者の利便性が高いコミュニケーションシステムを提供できるという効果がある。
【図面の簡単な説明】
【図１】本発明の一実施形態における告知媒体の設置イメージである。
【図２】本発明の一実施形態の概念図である。
【図３】本発明の一実施形態におけるコミュニケーションデータを中心としたデータのフローチャートである。
【図４】本発明の一実施例の内、医療機関、学校等での実施イメージである。
【図５】本発明の一実施例の内、映画館、劇場等の管理者の端末画面イメージである。
【図６】本発明の一実施例の内、マナーエリア内の携帯型移動通信端末への外部からの送信時のイメージである。
【図７】本発明の一実施例の内、電車車両での実施イメージである。
【図８】本発明の一実施例の内、商店街での実施イメージである。
【図９】本発明の一実施例の内、会議室での実施イメージである。
【符号の説明】１　公共空間での携帯型移動通信端末の利用属性を告知する告知媒体、２　データ中継装置、３　携帯型移動通信端末、４　公衆電話と一体化されたコミュニケーションデータ発信サーバ、５　ネットワーク、６　コミュニケーションデータコントロールサーバ、７　特定の公共空間の管理者がコミュニケーションデータの内容を入力する入力端末、８　通信キャリアが管理するキャリアサーバ、
【図１】
2004104348.tif 000003
【図２】
2004104348.tif 000004
【図３】
2004104348.tif 000005
【図４】
2004104348.tif 000006
【図５】
2004104348.tif 000007
【図６】
2004104348.tif 000008
【図７】
2004104348.tif 000009
【図８】
2004104348.tif 000010
【図９】
2004104348.tif 000011